(57)【特許請求の範囲】
【請求項１】
被写体を順次露光し、画像データを出力する撮像手段と、
前記撮像手段によって出力される画像データを保存する記憶手段とを備え、
前記記憶手段に保存された画像データを表示装置に表示する撮像装置であって、
前記撮像手段及び前記記憶手段によって画像データを出力及び保存するとともに、露光フレームレートよりも遅い表示フレームレートで画像を表示するスロー表示時に、表示済みの画像データを前記記憶手段から削除するとともに、その削除した領域を利用して前記撮像手段によって出力される画像データを保存し続け、前記記憶手段の画像データの量が上限に達した際には、露光フレームレートを表示フレームレートと一致させる、もしくは露光フレームレートを表示フレームレートより遅くする制御手段とを備えたことを特徴とする撮像装置。
【請求項２】
被写体を順次露光し、画像データを出力する撮像手段と、
前記撮像手段によって出力される画像データを保存する記憶手段とを備え、
前記記憶手段に保存された画像データを表示装置に表示する撮像装置の制御方法であって、
前記撮像手段及び前記記憶手段によって画像データを出力及び保存するとともに、露光フレームレートよりも遅い表示フレームレートで画像を表示するスロー表示時に、表示済みの画像データを前記記憶手段から削除するとともに、その削除した領域を利用して前記撮像手段によって出力される画像データを保存し続け、前記記憶手段の画像データの量が上限に達した際には、露光フレームレートを表示フレームレートと一致させる、もしくは露光フレームレートを表示フレームレートより遅くする手順を有することを特徴とする撮像装置の制御方法。
【請求項３】
被写体を順次露光し、画像データを出力する撮像手段と、
前記撮像手段によって出力される画像データを保存する記憶手段とを備え、
前記記憶手段に保存された画像データを表示装置に表示する撮像装置を制御するためのプログラムであって、
前記撮像手段及び前記記憶手段によって画像データを出力及び保存するとともに、露光フレームレートよりも遅い表示フレームレートで画像を表示するスロー表示時に、表示済みの画像データを前記記憶手段から削除するとともに、その削除した領域を利用して前記撮像手段によって出力される画像データを保存し続け、前記記憶手段の画像データの量が上限に達した際には、露光フレームレートを表示フレームレートと一致させる、もしくは露光フレームレートを表示フレームレートより遅くする処理をコンピュータに実行させるためのプログラム。
【発明の詳細な説明】
【技術分野】
【０００１】
本発明は、露光フレームレートよりも遅い表示フレームレートで画像を表示するスロー表示が可能な撮像装置、その制御方法及びプログラムに関する。
【背景技術】
【０００２】
従来、シャッターチャンスを逃すことを防止するための機能を備えた撮像装置が提案されている。例えば特許文献１は、露光フレームレートよりも遅い表示フレームレートで画像を表示し、その後、レリーズボタンの操作によって、表示されている画像を記録することで、撮影者が意図するシャッターチャンスに対応する画像のみを記録させようとするものである。
ここで、図９を用いて、このときの撮像装置の動作を説明する。最初、静止画記録の準備状態でスルー画像を通常表示する際には、露光フレームレートと表示フレームレートは等しく、被写体の動きと画像表示部に表示される画像とはほぼ等しいタイミングで変化する。その状態で、スロー表示を開始するためのトリガ信号を受け付けると、撮像装置は記録のための露光フレームレートで画像の露光を開始し、露光された画像データをバッファメモリに蓄え始める。その一方で、画像表示部には、指定された表示フレームレートでバッファメモリに蓄えられた画像を順次表示する。このときの表示フレームレートは露光フレームレートよりも遅いため、画像表示部のスルー画像は実際の動きよりもスローモーションで表示される。その後、撮影者はそのスローモーション画像で被写体の動きを見ながら静止画記録トリガとしてレリーズボタンを操作することで、意図するシャッターチャンスの画像を記録することが可能となる。画像記録後は、再び露光フレームレートと表示フレームレートが等しいスルー画像の通常表示状態に戻る。
【先行技術文献】
【特許文献】
【０００３】
【特許文献１】特開２００８−８５６８９号公報
【発明の概要】
【発明が解決しようとする課題】
【０００４】
ここで、撮像装置のバッファメモリについて着目する。通常のフレームレートでスルー画像を見ている際には、露光フレームレートと表示フレームレートが一致しているため、画像データはバッファメモリに一時的に保存されるのみで蓄積されていくことはない。その一方で、露光フレームレートよりも遅い表示フレームレートで画像を表示するスロー表示時には、露光された画像データはバッファメモリに順次蓄積されていく。この場合に、バッファメモリの容量には上限があるため、露光された画像データの蓄積可能な枚数にも限度がある。
【０００５】
本発明は上記のような点に鑑みてなされたものであり、露光フレームレートよりも遅い表示フレームレートで画像を表示するスロー表示時に、撮影者の目的や状況に応じてバッファメモリを効率よく利用できるようにすることを目的とする。
【課題を解決するための手段】
【０００６】
本発明の撮像装置は、被写体を順次露光し、画像データを出力する撮像手段と、前記撮像手段によって出力される画像データを保存する記憶手段とを備え、前記記憶手段に保存された画像データを表示装置に表示する撮像装置であって、前記撮像手段及び前記記憶手段によって画像データを出力及び保存するとともに、露光フレームレートよりも遅い表示フレームレートで画像を表示するスロー表示時に、表示済みの画像データを前記記憶手段から削除するとともに、その削除した領域を利用して前記撮像手段によって出力される画像データを保存し続け、前記記憶手段の画像データの量が上限に達した際には、露光フレームレートを表示フレームレートと一致させる、もしくは露光フレームレートを表示フレームレートより遅くする制御手段とを備えたことを特徴とする。
【発明の効果】
【０００７】
本発明によれば、露光フレームレートよりも遅い表示フレームレートで画像を表示するスロー表示時に、撮影者の目的や状況に応じてバッファメモリを効率よく利用することが可能となる。
【図面の簡単な説明】
【０００８】
【図１】第１の実施形態に係る撮像装置の機能構成を示す図である。
【図２】第１の実施形態に係る撮像装置の機能構成を示す図である。
【図３】第１の実施形態におけるスロー表示時でのバッファメモリの使用状況を模式的に示す図である。
【図４】第１の実施形態に係る撮像装置の処理手順を示すフローチャートである。
【図５】第２の実施形態におけるスロー表示時でのバッファメモリの使用状況を模式的に示す図である。
【図６】第２の実施形態に係る撮像装置の処理手順を示すフローチャートである。
【図７】第３の実施形態におけるスロー表示時でのバッファメモリの使用状況を模式的に示す図である。
【図８】第３の実施形態に係る撮像装置の処理手順を示すフローチャートである。
【図９】スロー表示を説明するための図である。
【発明を実施するための形態】
【０００９】
以下、添付図面を参照して、本発明の好適な実施形態について説明する。
（第１の実施形態）
図１及び図２に、本実施形態に係る撮像装置１の特徴的な機能構成の一例を示す。１０は被写体を撮影するための光学ブロックである。１１はレンズ制御部であり、光学ブロック１０を駆動制御する。１２は光学像を電気信号に変換する撮像素子であり、被写体を順次露光し、画像データを出力する。１３は撮像制御部であり、撮像素子１２のタイミング等を制御する。
【００１０】
１４は画像処理部であり、撮像素子１２のアナログ信号出力をデジタル信号に変換し、データに対して所定の画素補間処理や色変換処理を行う。１７はバッファメモリであり、撮像素子１２で露光され、画像処理部１４で処理された画像データを一時的に保存する。１５はメモリ制御部であり、バッファメモリ１７における画像データの保存及び消去を行う。１６はフレームレート制御部であり、撮像制御部１３によってタイミング制御される撮像素子１２の露光フレームレートを管理するとともに、画像データを画像表示部７に表示する表示フレームレートを管理する。７は画像表示装置であり、撮影した画像や各種メニューやガイド等を表示する。１８は保存メモリであり、画像データを最終的に保存する。
【００１１】
８はシステムコントローラであり、撮像装置１全体を制御する。２、３、４、５及び６は、システムコントローラ８の各種の動作指示を入力するための操作手段であり、スイッチやダイアル、タッチパネル等の単数或いは複数の組み合わせで構成される。２は電源ボタンであり、この信号をトリガとして撮像装置１への電源の供給をＯＮ／ＯＦＦする。３はレリーズボタンであり、静止画を記録するためのシャッタを動作させるトリガ信号や、動画記録をスタートやストップさせるためのトリガ信号を発生させるのに使用される。４はズームレバーであり、光学ブロック１０を制御し、焦点距離を操作するのに使用される。５はメニュー操作ボタンであり、撮像装置１の各種設定等に使用される。６はスローボタンであり、後述するスロー表示を開始するためのトリガ信号を発生させるのに使用される。なお、スローボタン６はレリーズボタン３の半押し信号等、他の信号と兼用する構成としても構わない。
【００１２】
本実施形態に係る撮像装置１において、フレームレート制御部１６では、撮像制御部１３によってタイミング制御される撮像素子１２の露光フレームレートを管理するとともに、画像データを画像表示部７に表示する表示フレームレートを管理する。撮像素子１２で露光され、画像処理部１４で処理された画像データは、メモリ制御部１５によってバッファメモリ１７に一時的に保存される。そして、バッファメモリ１７に一時的に保存された画像データは、フレームレート制御部１６で管理されたフレームレートに応じて、画像表示部７に表示されたり、必要に応じて消去されたりする。このとき、露光フレームレートと表示フレームレートが等しい場合には、画像表示部７では通常のスルー画像が表示される。それに対して、露光フレームレートよりも遅い表示フレームレートで画像を表示するスロー表示時には、画像表示部７に表示される画像はスローモーションのような表示となる。撮影者はそのスロー表示で被写体の動きを見ながら静止画記録トリガとしてレリーズボタン３を操作することにより、意図するシャッターチャンスの画像データを記録することができる。画像記録後は、再び露光フレームレートと表示フレームレートが等しいスルー画像の通常表示状態に戻る。
【００１３】
次に、第１の実施形態に係る撮像装置１の処理を説明する。第１の実施形態では、スロー表示に使用した画像データを再利用できるようにバッファメモリ１７に残しておくことを想定している。
図３は、スロー表示時でのバッファメモリ１７の使用状況を模式的に示す図である。各々の四角い枠はバッファメモリ１７の容量を示しており、領域３１は空き領域を、領域３２は露光済み画像データのうち未表示のもの（以下、未表示画像データという）を、領域３３は露光済み画像データのうちスロー表示済みのもの（以下、表示済み画像データという）を示す。矢印３４は露光フレームレートを、矢印３５は表示フレームレートを示し、矢印の長さが長いほど早いフレームレートであることを表わす。
【００１４】
状態３６〜４４は、バッファメモリ１７の使用状況の時系列を示す。
状態３６は、露光開始の状態を示す。露光開始によってバッファメモリ１７には画像データが蓄積され、その直後から画像の表示が始まる。スロー表示時には露光フレームレートの方が表示フレームレートよりも早いため、状態３７、３８のように、バッファメモリ１７には表示済み画像データよりも未表示画像データが先行して蓄積されていく。
【００１５】
本実施形態では、状態３９のように、画像データの量が上限に達してバッファメモリ１７の空き容量がなくなったときに、撮像素子１２での露光を停止させる。この時点ではまだ未表示画像データが存在するため、状態４０、４１、４２のように、露光が停止した状態であっても、引き続き未表示画像の表示は継続される。そして、状態４３で、バッファメモリ１７内の全ての画像が表示されることとなる。
このとき、本実施形態においては、それまでに露光された画像データは保存されたまま残っているので、これらの画像データを再利用することが可能である。図３においては再度ループ再生を行うことを想定しており、状態４４で示すように、最初に露光された画像データに戻って表示が継続される。
【００１６】
これらの動作を、図４のフローチャートを用いて説明する。図４のフローチャートに示す処理は、システムコントローラ８がプログラムを実行することにより実現される。なお、図４のフローチャートでは、スローボタン６はレリーズボタン３の半押し信号と兼用する構成例で説明する。
システムコントローラ８は、静止画撮影モードであるか否かを判定し（ステップＳ１０１）、静止画撮影モードでないと判定した場合、その他の撮影モードに遷移する（ステップＳ１０２）。静止画撮影モードであると判定した場合、まずは必要に応じてスロー表示の露光フレームレートを設定する（ステップＳ１０３）。例えば、動きの遅い被写体の場合はそれほどゆっくりしたフレームレートは必要としないが、動きの速い被写体の場合には遅いフレームレートでスロー表示を行うよう設定する。
はじめ、スロー表示を開始する前には、通常の露光フレームレートで画像の露光を行い（ステップＳ１０４）、その画像を通常の表示フレームレートで画像表示部７に表示する（ステップＳ１０５）。このときは通常スルー表示のため、露光フレームレートと表示フレームレートは等しいものとなる。さらに、バッファメモリ１７の状態を示すメモリ状態フラグの初期化を行う（ステップＳ１０６）。
【００１７】
次に、システムコントローラ８は、レリーズボタン３の半押し信号の有無を判定する（ステップＳ１０７）。レリーズボタン３の半押し信号を検知しなければ、ステップＳ１２３に移る。レリーズボタン３の半押し信号を検知すると、それをトリガ信号としてスロー表示を開始する。
スロー表示のトリガ信号が発生すると、システムコントローラ８は、スロー表示の前準備として露光フレームレートを高速フレームレートに設定する（ステップＳ１０８）。続いて、メモリ状態フラグを判定する（ステップＳ１０９）。メモリ状態フラグは、後述するステップＳ１２０でバッファメモリ１７の容量が画像データで満たされてしまい、これ以上画像データの保存ができなくなったと判定されると１にセットされるものである。
【００１８】
ステップＳ１０９においてメモリ状態フラグが０である場合、即ちバッファメモリ１７にまだ余裕がある場合、ステップＳ１１０に移る。ステップＳ１１０で、システムコントローラ８は、露光タイミングであるか否かを判定する。その結果、露光タイミングであれば、ステップＳ１０８で設定された露光フレームレートで画像の露光を行い（ステップＳ１１１）、その画像データをバッファメモリ１７に保存し（ステップＳ１１２）、その後ステップＳ１１４に移る。
ステップＳ１０９においてメモリ状態フラグが１である場合、即ちバッファメモリ１７に画像データを保存できない場合、画像の露光は行わずにステップＳ１１４に移る。また、ステップＳ１１０において露光タイミングでなければ、画像の露光は行わずにステップＳ１１４に移る。
【００１９】
ステップＳ１１４で、システムコントローラ８は、表示タイミングであるか否かを判定する。その結果、表示タイミングであれば、表示フレームレートで画像の表示を行う（ステップＳ１１５）。続いて、システムコントローラ８は、現在表示した画像が最終画像データであるか否かを判定する（ステップＳ１１６）。最終画像データである場合、次に表示する画像データとして再び先頭の画像データを設定する（ステップＳ１１８）。最終画像データでない場合、次に表示する画像データとして通常通り次のフレームの画像データを設定し（ステップＳ１１７）、その後ステップＳ１１９に移る。こうすることで、図３における状態４４の画像のループ再生が実現される。
なお、ステップＳ１１４において表示タイミングでなければ、ステップＳ１１９に移る。
【００２０】
ステップＳ１１９で、システムコントローラ８は、バッファメモリ１７の空き領域の有無を判定する。その結果、バッファメモリ１７の空き領域がある場合、ステップＳ１２１に移り、バッファメモリ１７の空き領域がない場合、メモリ状態フラグを１にセットし（ステップＳ１２０）、ステップＳ１２１に移る。
【００２１】
ステップＳ１２１で、システムコントローラ８は、レリーズボタン３の全押し信号の有無を判定する。レリーズボタン３の全押し信号を検知しなければ、ステップＳ１０７に移る。レリーズボタン３の全押し信号を検知すると、そのときに表示されている画像データを静止画として保存メモリ１８に保存する（ステップＳ１２２）。そして、画像データの保存後、バッファメモリ１７をクリアして（ステップＳ１２３）、通常のスルー表示に戻る。
【００２２】
以上のように、第１の実施形態では、スロー表示時に、表示済み画像データをバッファメモリ１７に残すようにしている。これにより、バッファメモリ１７に記録できる画像データの量は制限され、スロー表示可能な時間は限られてしまうが、一方でそれらの表示済み画像を再利用することが可能となる。本実施形態ではループ再生を行うことで、一度表示されて過ぎてしまった画像であっても再度静止画として切り出すことを可能としている。ただし、それ以外の用途でも、複数毎の静止画を切り出したり、動画として利用したりと様々な利用方法が考えられる。
【００２３】
（第２の実施形態）
次に、図５及び図６を用いて、第２の実施形態について説明する。なお、撮像装置の構成は第１の実施形態と同様であり、ここではその詳細な説明を省略する。
第２の実施形態では、スロー表示に使用した画像データはバッファメモリ１７から削除していくことを想定している。
図５は、第１の実施形態の図３と同様、スロー表示時でのバッファメモリ１７の使用状況を模式的に示す図である。各々の四角い枠はバッファメモリ１７の容量を示しており、領域５１は空き領域を、領域５２は露光済み画像データのうち未表示のもの（以下、未表示画像データという）を、領域５３は露光済み画像データのうちスロー表示済みのもの（以下、表示済み画像データという）を示す。矢印５４は露光フレームレートを、矢印５５は表示フレームレートを示し、矢印の長さが長いほど早いフレームレートであることを表わす。
【００２４】
状態５６〜６８は、バッファメモリ１７の使用状況の時系列を示す。
状態５６は、露光開始の状態を示す。露光開始によってバッファメモリ１７には画像データが蓄積され、その直後から画像の表示が始まる。スロー表示時には露光フレームレートの方が表示フレームレートよりも早いため、状態５７、５８のように、バッファメモリ１７には未表示画像データが蓄積されていく。ここで、図３の状態３７、３８と異なる点は、一度表示された画像データはバッファメモリ１７から削除され、表示済み画像データはバッファメモリ１７に蓄積されていないという点である。したがって、状態５９になったときにも、まだバッファメモリ１７には空き領域が存在し、状態６０のように、引き続き露光を行うことができる。そして、状態６１のように、画像データの量が上限に達してバッファメモリ１７に空き容量がなくなったときに、撮像素子１２での露光を停止させる。そして、状態６２〜６７のように、露光が停止した状態であっても、引き続き未表示画像の表示は継続される。そして、状態６８で、バッファメモリ１７内の全ての画像が表示されることとなる。
【００２５】
これらの動作を、図６のフローチャートを用いて説明する。図４のフローチャートのステップＳ１０１〜Ｓ１１２と同様に、スロー表示を開始すると、メモリ状態フラグに応じて露光を行う（Ｓ２０１〜Ｓ２１２）。
【００２６】
ステップＳ２１３で、システムコントローラ８は、表示タイミングであるか否かを判定する。その結果、表示タイミングであれば、表示フレームレートで画像の表示を行う（ステップＳ２１４）。そして、システムコントローラ８は、表示を終えた画像データはこの時点でバッファメモリ１７から削除する（ステップＳ２１５）。これにより、バッファメモリ１７に空き領域を確保することができる。
【００２７】
ステップＳ２１６で、システムコントローラ８は、バッファメモリ１７の空き領域の有無を判定する。その結果、バッファメモリ１７の空き領域がある場合、ステップＳ２１８に移り、バッファメモリ１７の空き領域がない場合、メモリ状態フラグを１にセットし（ステップＳ２１７）、ステップＳ２１８に移る。
【００２８】
ステップＳ２１８で、システムコントローラ８は、レリーズボタン３の全押し信号の有無を判定する。レリーズボタン３の全押し信号を検知しなければ、ステップＳ２０７に移る。レリーズボタン３の全押し信号を検知すると、そのときに表示されている画像データを静止画として保存メモリ１８に保存する（ステップＳ２１９）。そして、画像データの保存後、バッファメモリ１７をクリアして（ステップＳ２２０）、通常のスルー表示に戻る。
【００２９】
以上のように、第２の実施形態では、スロー表示時に、表示済み画像データをバッファメモリ１７から削除するようにしている。そのため、第１の実施形態のように表示済み画像を再利用することはできないが、第１の実施形態と比べてバッファメモリ１７の容量が満たされるまでの時間が長くなるので、長時間のスロー表示が可能となる。
【００３０】
（第３の実施形態）
次に、図７及び図８を用いて、第３の実施形態について説明する。なお、撮像装置の構成は第１の実施形態と同様であり、ここではその詳細な説明を省略する。
第３の実施形態では、第２の実施形態と同様、スロー表示に使用した画像データはバッファメモリ１７から削除していくが、スロー表示終了後の挙動を考慮したものとなっている。
図７は、第１の実施形態の図３と同様、スロー表示時でのバッファメモリ１７の使用状況を模式的に示す図である。各々の四角い枠はバッファメモリ１７の容量を示しており、領域７１は空き領域を、領域７２は露光済み画像データのうち表示済みのもの（以下、表示済み画像データという）、領域７３、７４は露光済み画像データのうち未表示のもの（以下、未表示画像データという）を示す。矢印７５は露光フレームレートを、矢印７６は表示フレームレートを示し、矢印の長さが長いほど早いフレームレートであることを表わす。
【００３１】
状態７７〜９０は、バッファメモリ１７の使用状況の時系列を示す。
状態７７〜８１は、第２の実施形態の図５の状態５６〜６０と同様である。そして、状態８２のように、画像データの量が上限に達してバッファメモリ１７の空き容量がなくなったとき、フレームレートの変更を行い、露光フレームレートを表示フレームレートに一致させる。これにより、表示フレームレートごとに消去されて空きとなる領域を利用して露光済み画像データを保存し続けることが可能となる。そして、そのまま状態８３〜８７のように、引き続きスロー表示が行われる。
【００３２】
ここで、状態８８における表示画像について考える。状態８８で表示が開始される画像は、状態８２で露光フレームレートの変更後に露光された画像である。状態８２では、露光フレームレートと表示フレームレートを一致させたため、状態８８で表示される画像はスロー画像ではなく、通常速度の画像になる。しかし、表示される画像は状態８８の実時間における被写体のものではなく、過去の状態８２のときに露光された画像となる。
【００３３】
これらの動作を、図８のフローチャートを用いて説明する。ステップＳ３０１〜Ｓ３０７は、図４のフローチャートのステップＳ１０１〜Ｓ１０７と同様である。ステップＳ３０７においてレリーズボタン３の半押し信号を検知しなければ、ステップＳ３２１に移る。レリーズボタン３の半押し信号を検知すると、システムコントローラ８は、メモリ状態フラグに応じて露光フレームレートを決定する（ステップＳ３０９、Ｓ３１０）。具体的には、メモリ状態フラグが０でバッファメモリ１７に空き領域がある場合、露光フレームレートはスロー表示用に高速のフレームレートを設定する（ステップＳ３０９）。その一方で、メモリ状態フラグが１でバッファメモリ１７に空き領域がない場合、露光フレームレートを表示フレームレートと一致させる（ステップＳ３１０）。
【００３４】
そのように決定されたフレームレートで露光された画像データをバッファメモリ１７に保存する（ステップＳ３１１〜Ｓ３１３）。ステップＳ３１４で、システムコントローラ８は、表示タイミングであるか否かを判定する。その結果、表示タイミングであれば、表示フレームレートで画像の表示を行う（ステップＳ３１５）。そして、第２の実施形態と同様、システムコントローラ８は、表示を終えた画像データはこの時点でバッファメモリ１７から削除する（ステップＳ３１６）。
【００３５】
ステップＳ３１７で、システムコントローラ８は、バッファメモリ１７の空き領域の有無を判定する。その結果、バッファメモリ１７の空き領域がある場合、ステップＳ３１９に移り、バッファメモリ１７の空き領域がない場合、メモリ状態フラグを１にセットし（ステップＳ３１８）、ステップＳ３１９に移る。
【００３６】
ステップＳ３１９で、システムコントローラ８は、レリーズボタン３の全押し信号の有無を判定する。レリーズボタン３の全押し信号を検知しなければ、ステップＳ３０７に移る。レリーズボタン３の全押し信号を検知すると、そのときに表示されている画像データを静止画として保存メモリ１８に保存する（ステップＳ３２０）。そして、画像データの保存後、バッファメモリ１７をクリアして（ステップＳ３２１）、通常のスルー表示に戻る。
【００３７】
以上のように、第３の実施形態では、スロー表示が可能となる時間は第２の実施形態と変わらないが、スロー表示を終えた後の通常速度での表示が第２の実施形態と異なる。第２の実施形態の場合には、スロー表示を終えた後は実時間で露光された画像の表示となってしまうため、図５の状態６１で最後に露光停止した時間の被写体の画像から、状態６８のスロー表示が終了した時点での被写体の画像まで一気に時間が飛んだような表示となってしまう。その一方で、本実施形態の場合には、図７の状態８８でスロー表示から通常速度表示に切り替わる際の画像はどちらも状態８２前後において露光された画像となるので、前述のような現象は発生しない。これにより、違和感が少ない表示画像の切替りを実現すると同時に、スロー表示ではないものの通常速度表示においてシャッターチャンスをとらえられる可能性が存在する。なお、本実施形態では、バッファメモリ１７の画像データの量が上限に達した際には、露光フレームレートを表示フレームレートと一致させる例を説明したが、露光フレームレートを表示フレームレートより遅くするようにしてもよい。
【００３８】
以上説明したように、本発明の実施形態にはそれぞれ特徴があるため、それぞれの実施形態で説明した手法を撮影者の意図や撮影モード等状況に応じて切り替えることも効果的である。
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００３９】
１：撮像装置、３：レリーズボタン、４：ズームレバー、６：スローボタン、７：画像表示部、８：システムコントローラ、１２：撮像素子、１３：撮像制御部、１５：メモリ制御部、１６：フレームレート制御部、１７：バッファメモリ
【図１】
0005917222.tif 000002
【図２】
0005917222.tif 000003
【図３】
0005917222.tif 000004
【図４】
0005917222.tif 000005
【図５】
0005917222.tif 000006
【図６】
0005917222.tif 000007
【図７】
0005917222.tif 000008
【図８】
0005917222.tif 000009
【図９】
0005917222.tif 000010